(57)【要約】【課題】  リング状の押え部材を用いずに、文字板をムーブメント上に確実に取り付けることができると共に、文字板の表示領域を最大限に広くすることができる文字板の取付構造を提供する。【解決手段】  文字板５の周縁部に文字板５の面方向に延出させて一体に形成された複数のフック部１３を、文字板５の面方向に対しほぼ直角に折り曲げて時計ムーブメント７の複数の係合孔１４にそれぞれ係止させた。従って、リング状の押え部材を用いずに、文字板５を時計ムーブメント７上に確実に取り付けることができると共に、文字板５の時刻表示領域が制限されることがなく、文字板５の時刻表示領域を最大限に広くすることができる。【選択図】        図６
2010133756.tif 000002
【特許請求の範囲】
【請求項１】
ムーブメント上に文字板を取り付けるための文字板の取付構造において、
前記文字板の周縁部に複数のフック部を前記文字板の面方向に延出して一体に形成し、前記複数のフック部を前記文字板の面方向に対しほぼ直角に折り曲げて前記ムーブメントに形成された複数の係合部にそれぞれ係止させたことを特徴とする文字板の取付構造。
【請求項２】
前記複数の係合部は前記ムーブメントの周縁部にそれぞれ設けられた孔部であり、この孔部の内部における前記ムーブメントの外周側に位置する内側面には、係止凹部がそれぞれ設けられており、
前記複数のフック部は、前記文字板の面方向に対しほぼ直角に折り曲げられて前記係合部に挿入され、この挿入された先端部に前記係止凹部に係止される突起部が形成されていることを特徴とする請求項１に記載の文字板の取付構造。
【請求項３】
前記文字板は光透過性樹脂からなり、この文字板と前記ムーブメントとの間に太陽電池パネルが配置されていることを特徴とする請求項１または請求項２に記載の文字板の取付構造。
【発明の詳細な説明】
【技術分野】
【０００１】
この発明は、腕時計などの時計に用いられる文字板の取付構造に関する。
【背景技術】
【０００２】
従来、指針式の腕時計においては、特許文献１に記載されているように、時計ムーブメント上に文字板を取り付ける際、リング状の押え部材を時計ムーブメントの周囲に取り付け、この押え部材によって文字板の周縁部を上方から時計ムーブメント上に押え付けることにより、文字板を時計ムーブメント上に取り付けるように構成されたものが知られている。
【特許文献１】特開平０９−６１５５０
【発明の開示】
【発明が解決しようとする課題】
【０００３】
しかしながら、このような従来の文字板の取付構造では、押え部材によって文字板の周縁部における上面を押え付けているので、押え部材の幅によって文字板における時刻表示領域の広さが制限されてしまうことになり、このためリング状の押え部材を用いている限り、文字板の時刻表示領域を広くすることができないという問題がある。
【０００４】
この発明が解決しようとする課題は、リング状の押え部材を用いずに、文字板をムーブメント上に確実に取り付けることができると共に、文字板の表示領域を最大限に広くすることができる文字板の取付構造を提供することである。
【課題を解決するための手段】
【０００５】
この発明は、上記課題を解決するために、次のような構成要素を備えている。
請求項１に記載の発明は、ムーブメント上に文字板を取り付けるための文字板の取付構造において、前記文字板の周縁部に複数のフック部を前記文字板の面方向に延出して一体に形成し、前記複数のフック部を前記文字板の面方向に対しほぼ直角に折り曲げて前記ムーブメントに形成された複数の係合部にそれぞれ係止させたことを特徴とする文字板の取付構造である。
【０００６】
請求項２に記載の発明は、前記複数の係合部が前記ムーブメントの周縁部にそれぞれ設けられた孔部であり、この孔部の内部における前記ムーブメントの外周側に位置する内側面には、係止凹部がそれぞれ設けられており、前記複数のフック部は、前記文字板の面方向に対しほぼ直角に折り曲げられて前記係合部に挿入され、この挿入された先端部に前記係止凹部に係止される突起部が形成されていることを特徴とする請求項１に記載の文字板の取付構造である。
【０００７】
請求項３に記載の発明は、前記文字板が光透過性樹脂からなり、この文字板と前記ムーブメントとの間に太陽電池パネルが配置されていることを特徴とする請求項１または請求項２に記載の文字板の取付構造である。
【発明の効果】
【０００８】
この発明によれば、文字板の周縁部に文字板の面方向に延出されて一体に形成された複数のフック部を、文字板の面方向に対しほぼ直角に折り曲げることにより、ムーブメントの複数の係合部にそれぞれ直接係止させることができる。このため、リング状の押え部材を用いずに、文字板をムーブメント上に確実に取り付けることができると共に、文字板の表示領域が制限されることがなく、文字板の表示領域を最大限に広くすることができる。
【発明を実施するための最良の形態】
【０００９】
以下、図１〜図６を参照して、この発明を指針式の腕時計に適用した一実施形態について説明する。
この指針式の腕時計は、図１および図２に２点鎖線で示すように、腕時計ケース１を備え、この腕時計ケース１内に時計モジュール２が組み込まれた構成になっている。この場合、腕時計ケース１の上部には、図２に２点鎖線で示すように、時計ガラス３が取り付けられており、この腕時計ケース１の下部には、裏蓋４が取り付けられている。
【００１０】
時計モジュール２は、図２に示すように、上から順に、文字板５、太陽電池パネル６、時計ムーブメント７、および回路基板８が配置され、文字板５の周縁端が見切部材９で押え付けられた状態で腕時計ケース１内に組み込まれるように構成されている。この場合、太陽電池パネル６は、外部光を受光して発電するものであり、後述する文字板５と同じ大きさの円形状に形成され、文字板５と時計ムーブメント７との間に配置されて回路基板８と電気的に接続されている。
【００１１】
時計ムーブメント７は、その外周部が文字板５の外周部よりも少し大きく形成され、そのほぼ中心部に指針軸１０が設けられ、この指針軸１０が太陽電池パネル６および文字板５に設けられた貫通孔１１を通して文字板５の上方に突出し、この突出した上端部に秒針１２ａ、分針１２ｂ、時針１２ｃが取り付けられ、この状態で秒針１２ａ、分針１２ｂ、時針１２ｃが文字板５の上方を運針するように構成されている。回路基板８は、時計ムーブメント７の下に配置されて時計ムーブメント７の駆動を制御して秒針１２ａ、分針１２ｂ、時針１２ｃを運針させる。
【００１２】
一方、文字板５は、透明または半透明の光透過性を有する合成樹脂からなり、図３（ａ）に示すように、全体がほぼ円形状に形成され、その裏面（図３（ｂ）では下面）に印刷により時字や装飾部などの印刷層５ａが設けられ、この印刷層５ａが文字板５の上方から見えるように構成されている。また、この文字板５は、図３（ａ）および図３（ｂ）に示すように、その周縁部における１２時、３時、６時、９時の４箇所に複数のフック部１３がそれぞれ文字板５の面方向に延出された状態で一体に形成された構成になっている。
【００１３】
このフック部１３は、図３(ｂ)に示すように、文字板５の厚みよりも上面側が薄く形成され、その先端部に突起部１３ａが上方に向けて突出した状態で形成された構成になっている。また、このフック部１３は、図３（ｂ）および図４(ｂ)に示すように、文字板５の周縁部に位置する付け根部１３ｂが、曲げ加工により文字板５の面方向に対し下側に向けてほぼ直角に折り曲げられ、この折り曲げられた部分が太陽電池パネル６の側方を通り時計ムーブメント７の係合孔１４に上方から挿入して係止されるように構成されている。
【００１４】
すなわち、係合孔１４は、図５および図６に示すように、文字板５の外周よりも外側に位置する時計ムーブメント７の周縁部における１２時、３時、６時、９時の４箇所（図５および図６では１２時の箇所のみを示す）にそれぞれ設けられた断面矩形状の孔部である。この孔部の内部における時計ムーブメント７の外周側（図５（ｂ）では右側）に位置する内側面の下部には、図５（ｂ）および図６(ｂ)に示すように、係止凹部１４ａがそれぞれ設けられている。
【００１５】
この係止凹部１４ａは、図６(ｂ)に示すように、文字板５の周縁部から延出されて曲げ加工により下側に向けてほぼ直角に折り曲げられたフック部１３が上方から係合孔１４に挿入された際に、フック部１３の突起部１３ａを係脱可能に係止することにより、フック部１３が係合孔１４から上方に抜け出さないように構成されている。
【００１６】
次に、このような文字板５を時計ムーブメント７上に取り付ける場合について説明する。
この場合には、予め、図３（ａ）および図３（ｂ）に示すように、文字板５の周縁部に４つのフック部１３を文字板５の面方向に延出させて一体に形成する。この状態では、文字板５および複数のフック部１３の裏面（図３（ｂ）では下面）が平坦面をなすので、文字板５の裏面に印刷により時字や装飾部などの印刷層５ａを容易に且つ良好に設けることができる。
【００１７】
この後、時計ムーブメント７の上面に太陽電池パネル６を配置する。このときには、時計ムーブメント７の指針軸１０を太陽電池パネル６の貫通孔１１に下側から挿入させて上方に突出させると共に、太陽電池パネル６の外周部を時計ムーブメント７の外周縁よりも内側に配置する。これにより、時計ムーブメント７の周縁部に設けられた係合孔１４が太陽電池パネル６で覆われることがなく上方に露出する。この状態で、文字板５を太陽電池パネル６の上方から時計ムーブメント７に取り付ける。
【００１８】
このときには、まず、図４（ａ）および図４（ｂ）に示すように、文字板５の複数のフック部１３を曲げ加工により文字板５の周縁部に位置する付け根部１３ｂで文字板５の面方向に対し下側に向けてほぼ直角に折り曲げる。そして、この折り曲げられたフック部１３を、図６（ａ）および図６（ｂ）に示すように、時計ムーブメント７の各係合孔１４に上方からそれぞれ挿入する。
【００１９】
すると、図２に示すように、時計ムーブメント７の指針軸１０が文字板５の貫通孔１１に挿入して、文字板５が時計ムーブメント７上に配置された太陽電池パネル６の上面に配置されると共に、フック部１３の先端部に設けられた突起部１３ａが、図６（ｂ）に示すように、係合孔１４の係止凹部１４ａに係止される。
【００２０】
このときには、文字板５の面方向に対し下側に向けてほぼ直角に折り曲げられたフック部１３が係合孔１４内で文字板５の外周側に向けて広がる方向に弾性復帰しようとすることにより、フック部１３の突起部１３ａが係合孔１４の係止凹部１４ａに弾力的に確実に係止される。これにより、フック部１３が係合孔１４から上方に抜け出すことがないので、文字板５が時計ムーブメント７上に太陽電池パネル６を挟んで確実に取り付けられる。
【００２１】
このように、この文字板５の取付構造によれば、文字板５の周縁部に文字板５の面方向に延出されて一体に形成された複数のフック部１３を、文字板５の面方向に対しほぼ直角に折り曲げることにより、時計ムーブメント７の複数の係合孔１４にそれぞれ直接係止させることができる。このため、リング状の押え部材を用いずに、文字板５を時計ムーブメント７上に確実に取り付けることができると共に、文字板５の時刻表示領域が制限されることがなく、文字板５の時刻表示領域を最大限に広くすることができる。
【００２２】
この場合、複数のフック部１３は、文字板５の周縁部に文字板５の面方向に延出されて一体に形成されていることにより、フック部１３の先端部に突起部１３ａが上方に突出して設けられていても、文字板５および複数のフック部１３の裏面、この実施形態では下面が平坦面をなすので、文字板５の周縁部に複数のフック部１３を形成しても、文字板５の裏面に印刷により時字や装飾部などの印刷層５ａを容易に且つ良好に設けることができる。
【００２３】
また、複数の係合孔１４は、時計ムーブメント７の周縁部にそれぞれ設けられた断面矩形状の孔部であり、この孔部の内部における時計ムーブメント７の外周側に位置する内側面には、係止凹部１４ａがそれぞれ設けられており、複数のフック部１３は、文字板５の面方向に対しほぼ直角に折り曲げられて各係合孔１４に挿入され、この挿入された先端部に係止凹部１４ａに係止される突起部１３ａがそれぞれ形成されていることにより、複数のフック部１３を各係合孔１４に確実に係止させることができる。
【００２４】
すなわち、フック部１３は、ほぼ直角に折り曲げられた状態で係合孔１４内に挿入されると、この挿入されたフック部１３が係合孔１４内で文字板５の外周側に向けて広がる方向に弾性復帰しようとすることにより、フック部１３の突起部１３ａを係合孔１４の係止凹部１４ａに弾力的に確実に係止させることができる。このため、フック部１３が係合孔１４から上方に抜け出すことがないので、フック部１３を係合孔１４に確実に係止させることができ、これにより文字板５を時計ムーブメント７上に太陽電池パネル６を挟んで確実に取り付けることができる。
【００２５】
また、この文字板５の取付構造では、文字板５が光透過性を有する合成樹脂からなり、この文字板５と時計ムーブメント７との間に太陽電池パネル６が配置されているので、文字板５を通して外部光を太陽電池パネル６に照射させることができると共に、文字板５の時刻表示領域が制限されず、文字板５の時刻表示領域が最大限に広く形成されていることにより、太陽電池パネル６の受光面積を最大限に広くすることができ、これにより太陽電池パネル６の発電効率を向上させることができる。
【００２６】
なお、上記実施形態では、時計ムーブメント７に係合部として断面矩形状の係合孔１４を設け、この係合孔１４に文字板５のフック部１３を係止させるように構成した場合について述べたが、これに限らず、時計ムーブメント７の周側面に係合部として断面矩形状の凹溝部を上下方向に沿って設け、この凹溝部に文字板のフック部を係止させるように構成しても良い。
【００２７】
この場合には、時計ムーブメント７の係合部である凹溝部の下部に係止凹部を設けると共に、フック部の先端部に突起部を下側に向けて設け、このフック部を文字板５の面方向に対して下側にほぼ直角に折り曲げ、この折り曲げられたフック部を時計ムーブメント７の凹溝部に挿入させて、フック部の突起部を凹溝部の下部に設けられた係止凹部に係止させるように構成すれば良い。このように構成しても、上記実施形態と同様の作用効果がある。
【００２８】
また、上記実施形態では、指針式の腕時計に適用した場合について述べたが、必ずしも腕時計である必要はなく、例えばトラベルウオッチ、目覚まし時計、置き時計、掛け時計などの各種の指針式の時計に広く適用することができる。
【図面の簡単な説明】
【００２９】
【図１】この発明を指針式の腕時計に適用した一実施形態において時計モジュールを示した拡大正面図である。
【図２】図１のＡ−Ａ矢視における拡大断面図である。
【図３】図１および図２の文字板を示し、（ａ）は図１の文字板の周縁部に複数のフック部を文字板の面方向に延出させて一体に形成した状態を示した拡大正面図、（ｂ）はそのＢ−Ｂ矢視における拡大断面図である。
【図４】図３の文字板における複数のフック部を文字板の下側に向けてほぼ直角に折り曲げた状態を示し、（ａ）はその文字板および複数のフック部を示した拡大正面図、（ｂ）はそのＣ−Ｃ矢視における拡大断面図である。
【図５】図１の時計ムーブメントの要部を示し、（ａ）はその時計ムーブメントにおける係合孔を示した拡大正面図、（ｂ）はそのＤ−Ｄ矢視における拡大断面図である。
【図６】図５の時計ムーブメントの係合孔に文字板のフック部を挿入した状態を示し、（ａ）はその要部を示した拡大正面図、（ｂ）はそのＥ−Ｅ矢視における拡大断面図である。
【符号の説明】
【００３０】
１  腕時計ケース
２  時計モジュール
５  文字板
６  太陽電池パネル
７  時計ムーブメント
１３  フック部
１３ａ  突起部
１３ｂ  付け根部
１４  係合孔
１４ａ  係止凹部
【図１】
2010133756.tif 000003
【図２】
2010133756.tif 000004
【図３】
2010133756.tif 000005
【図４】
2010133756.tif 000006
【図５】
2010133756.tif 000007
【図６】
2010133756.tif 000008